(57)【要約】【課題】ディスプレイパネルの駆動回路及びその駆動モジュールと表示装置と製造方法の提供。【解決手段】このディスプレイパネルの駆動回路は、複数の駆動ユニットによりそれぞれガンマ回路のガンマ電圧に基づき参考駆動電圧を発生し、複数のデジタルアナログ変換回路がこれら駆動ユニットが出力する参考駆動電圧を受け取り、並びにそれぞれ画素データに基づきこれら参考駆動電圧のうちの一つをデータ駆動電圧として選択し、これらデジタルアナログ変換回路はこれらデータ駆動電圧をディスプレイパネルに送り、フレームを表示し、昇圧回路が第１供給電圧を発生し、並びに第１供給電圧をこれらデジタルアナログ変換回路に提供し、少なくとも一つの昇圧ユニットが第２供給電圧を発生し、並びに第２供給電圧をこれら駆動ユニットに提供し、こうして駆動回路は外付けの保存コンデンサを必要としなくなり、回路面積節約の目的を達成する。【選択図】図４
2014132338.tif 000002
【特許請求の範囲】
【請求項１】
ディスプレイパネルの駆動回路において、
複数の駆動ユニットであって、それぞれガンマ回路のガンマ電圧に基づいて参考駆動電圧を発生する、上記複数の駆動ユニットと、
複数のデジタルアナログ変換回路であって、これら駆動ユニットが出力する該参考駆動電圧を受け取り、並びにそれぞれ画素データに基づいて、これら参考駆動電圧のうちの一つを、データ駆動電圧として選択し、これらデータ駆動電圧を該ディスプレイパネルに伝送する、上記複数のデジタルアナログ変換回路と、
昇圧回路であって、第１供給電圧を発生し、並びに該第１供給電圧をこれらデジタルアナログ変換回路に提供する、上記昇圧回路と、
少なくとも一つの昇圧ユニットであって、第２供給電圧を発生し、並びに該第２供給電圧をこれら駆動ユニットに提供する、上記少なくとも一つの昇圧ユニットと、
を包含することを特徴とする、ディスプレイパネルの駆動回路。
【請求項２】
請求項１記載のディスプレイパネルの駆動回路において、これら駆動ユニットは、
差動ユニットであって、該第１供給電圧を受け取って、該差動ユニットの電源となし、並びに該ガンマ電圧に基づいて差動電圧を発生する、上記差動ユニットと、
出力ユニットであって、該第２供給電圧を受け取って、該出力ユニットの電源となし、並びに該差動電圧に基づいて、該参考駆動電圧を発生する、上記出力ユニットと、
を包含することを特徴とする、ディスプレイパネルの駆動回路。
【請求項３】
請求項２記載のディスプレイパネルの駆動回路において、該昇圧ユニットと該出力ユニットの間に連接経路を具え、該連接経路上に保存コンデンサが接続されていないことを特徴とする、ディスプレイパネルの駆動回路。
【請求項４】
請求項１記載のディスプレイパネルの駆動回路において、これら駆動ユニットは、
差動ユニットであって、該第２供給電圧を受け取って、該差動ユニットの電源となし、並びに該ガンマ電圧に基づいて差動電圧を発生する、上記差動ユニットと、
出力ユニットであって、該第２供給電圧を受け取って、該出力ユニットの電源となし、並びに該差動電圧に基づいて、該参考駆動電圧を発生する、上記出力ユニットと、
を包含することを特徴とする、ディスプレイパネルの駆動回路。
【請求項５】
請求項４記載のディスプレイパネルの駆動回路において、該昇圧ユニットと該出力ユニットと該差動ユニットの間にそれぞれ連接経路を具え、該連接経路上に保存コンデンサが接続されていないことを特徴とする、ディスプレイパネルの駆動回路。
【請求項６】
請求項１記載のディスプレイパネルの駆動回路において、該昇圧ユニットに保存コンデンサを設置不要であることを特徴とする、ディスプレイパネルの駆動回路。
【請求項７】
請求項６記載のディスプレイパネルの駆動回路において、該昇圧ユニットとこれら駆動ユニットの間に連接経路を具え、この連接経路上に保存コンデンサが接続されていないことを特徴とする、ディスプレイパネルの駆動回路。
【請求項８】
ディスプレイパネルの駆動回路において、
複数の駆動ユニットであって、それぞれガンマ回路のガンマ電圧に基づいて参考駆動電圧を発生する、上記複数の駆動ユニットと、
複数のデジタルアナログ変換回路であって、これら駆動ユニットが出力する該参考駆動電圧を受け取り、並びにそれぞれ画素データに基づいて、これら参考駆動電圧のうちの一つを、データ駆動電圧として選択し、これらデータ駆動電圧を該ディスプレイパネルに伝送する、上記複数のデジタルアナログ変換回路と、
昇圧回路であって、第１供給電圧を発生し、並びに該第１供給電圧をこれらデジタルアナログ変換回路に提供する、上記昇圧回路と、
複数の昇圧ユニットであって、それぞれ第２供給電圧を発生し、並びにそれぞれ該第２供給電圧をこれら駆動ユニットに提供する、上記複数の昇圧ユニットと、
を包含することを特徴とする、ディスプレイパネルの駆動回路。
【請求項９】
請求項８記載のディスプレイパネルの駆動回路において、これら駆動ユニットは、
差動ユニットであって、該第１供給電圧を受け取って、該差動ユニットの電源となし、並びに該ガンマ電圧に基づいて差動電圧を発生する、上記差動ユニットと、
出力ユニットであって、該第２供給電圧を受け取って、該出力ユニットの電源となし、並びに該差動電圧に基づいて、該参考駆動電圧を発生する、上記出力ユニットと、
を包含することを特徴とする、ディスプレイパネルの駆動回路。
【請求項１０】
請求項８記載のディスプレイパネルの駆動回路において、これら駆動ユニットは、
差動ユニットであって、該第２供給電圧を受け取って、該差動ユニットの電源となし、並びに該ガンマ電圧に基づいて差動電圧を発生する、上記差動ユニットと、
出力ユニットであって、該第２供給電圧を受け取って、該出力ユニットの電源となし、並びに該差動電圧に基づいて、該参考駆動電圧を発生する、上記出力ユニットと、
を包含することを特徴とする、ディスプレイパネルの駆動回路。
【請求項１１】
請求項８記載のディスプレイパネルの駆動回路において、該昇圧ユニットに保存コンデンサを設置不要であることを特徴とする、ディスプレイパネルの駆動回路。
【請求項１２】
ディスプレイパネルの駆動モジュールにおいて、
軟性回路板であって、該ディスプレイパネルに電気的に接続された、上記軟性回路板と、
駆動チップであって、該軟性回路板の一側に設置され、該駆動チップは、
複数の駆動ユニットであって、それぞれガンマ回路のガンマ電圧に基づいて参考駆動電圧を発生する、上記複数の駆動ユニットと、
複数のデジタルアナログ変換回路であって、これら駆動ユニットが出力する該参考駆動電圧を受け取り、並びにそれぞれ画素データに基づいて、これら参考駆動電圧のうちの一つを、データ駆動電圧として選択し、これらデータ駆動電圧を該ディスプレイパネルに伝送し、フレームを表示させる、上記複数のデジタルアナログ変換回路と、
昇圧回路であって、第１供給電圧を発生し、並びに該第１供給電圧をこれらデジタルアナログ変換回路に提供する、上記昇圧回路と、
少なくとも一つの昇圧ユニットであって、それぞれ第２供給電圧を発生し、並びに該第２供給電圧をこれら駆動ユニットに提供する、上記少なくとも一つの昇圧ユニットと、
を包含する、上記駆動チップと、
を包含することを特徴とする、ディスプレイパネルの駆動モジュール。
【請求項１３】
表示装置において、
画像を表示するためのディスプレイパネルと、
該ディスプレイパネルに電気的に接続された軟性回路板と、
駆動チップであって、該軟性回路板の一側に設置され、複数のデータ駆動電圧を発生して該ディスプレイパネルに送りフレームを表示させ、該駆動チップは、
複数の駆動ユニットであって、それぞれガンマ回路のガンマ電圧に基づいて参考駆動電圧を発生する、上記複数の駆動ユニットと、
複数のデジタルアナログ変換回路であって、これら駆動ユニットが出力する該参考駆動電圧を受け取り、並びにそれぞれ画素データに基づいて、これら参考駆動電圧のうちの一つを、データ駆動電圧として選択し、これらデータ駆動電圧を該ディスプレイパネルに伝送する、上記複数のデジタルアナログ変換回路と、
昇圧回路であって、第１供給電圧を発生し、並びに該第１供給電圧をこれらデジタルアナログ変換回路に提供する、上記昇圧回路と、
少なくとも一つの昇圧ユニットであって、それぞれ第２供給電圧を発生し、並びに該第２供給電圧をこれら駆動ユニットに提供する、上記少なくとも一つの昇圧ユニットと、
を包含する、上記駆動チップと、
を包含することを特徴とする、表示装置。
【請求項１４】
ディスプレイパネルの駆動回路において、
複数のデジタルアナログ変換回路であって、一つのガンマ回路の複数のガンマ電圧を受け取り、並びにそれぞれ一つの画素データに基づいて、参考駆動電圧のうちの一つを参考駆動電圧として選択する、上記複数のデジタルアナログ変換回路と、
複数の駆動ユニットであって、これらデジタルアナログ変換回路が出力する該参考駆動電圧を受け取り、並びに該参考駆動電圧に基づきデータ駆動電圧を発生し、且つ該データ駆動電圧を該ディスプレイパネルに伝送してフレームを表示させる、上記複数の駆動ユニットと、
昇圧回路であって、第１供給電圧を発生し、並びに該第１供給電圧をこれらデジタルアナログ変換回路に提供する、上記昇圧回路と、
少なくとも一つの昇圧ユニットであって、それぞれ第２供給電圧を発生し、並びにそれぞれ該第２供給電圧をこれら駆動ユニットに提供する、上記少なくとも一つの昇圧ユニットと、
を包含し、そのうち、これら駆動ユニットは、
差動ユニットであって、該第１供給電圧を受け取って、該差動ユニットの電源となし、並びに該参考駆動電圧に基づいて差動電圧を発生する、上記差動ユニットと、
出力ユニットであって、該第２供給電圧を受け取って、該出力ユニットの電源となし、並びに該差動電圧に基づいて、該データ駆動電圧を発生する、上記出力ユニットと、
を包含することを特徴とする、ディスプレイパネルの駆動回路。
【請求項１５】
表示装置の製造方法において、
ディスプレイパネル、軟性回路板及び駆動チップを提供するステップ、
該駆動チップを該ディスプレイパネル上に設置するステップ、
該軟性回路板を該ディスプレイパネル上に設置し、並びに該駆動チップと電気的に接続するステップ、
以上のステップを包含し、該軟性回路板上に保存コンデンサを設置不要であることを特徴とする、表示装置の製造方法。
【請求項１６】
請求項１５記載の表示装置の製造方法において、さらに、
バックライトモジュールを該ディスプレイパネルの下方に設置することで、光源を該ディスプレイパネルに提供するステップ、
を包含することを特徴とする、表示装置の製造方法。
【発明の詳細な説明】
【技術分野】
【０００１】
本発明は一種の駆動回路及びその駆動モジュールと表示装置と製造方法に係り、特に一種の、ディスプレイパネルの駆動回路及びその駆動モジュールと表示装置と製造方法に関する。
【背景技術】
【０００２】
現代のテクノロジーの勃興発展により、市場の情報商品の種類はますます多くなり、大衆の異なる要求を満足させている。早期のディスプレイのほとんどは、陰極線管（Ｃａｔｈｏｄｅ  Ｒａｙ  Ｔｕｂｅ，ＣＲＴ）ディスプレイとされ、その体積は膨大で、消費電力は大きく、且つその発生する輻射線は長時間ディスプレイを使用する使用者に対して、健康被害を及ぼす恐れがある。これにより、現在市販されているディスプレイは、次第に古いＣＲＴディスプレイから液晶ディスプレイ（Ｌｉｑｕｉｄ  Ｃｒｙｓｔａｌ  Ｄｉｓｐｌａｙ，ＬＣＤ）へと置き換えられ、液晶ディスプレイは軽量、薄型、コンパクトで、低輻射と低消費電力等の長所により、現在市場の主流となっている。
【０００３】
さらに、近年、パネル製造テクノロジーの急速な躍進に伴い、すでにタッチパネルの生産コストは大幅に下がり、これにより、タッチパネルは現在、すでに広く一般の消費電子製品、たとえば、携帯電話、デジタルカメラ、ＭＰ３プレイヤー、ＰＤＡ、ＧＰＳ等の小型電器に応用されつつあり、これらのデジタル商品上、タッチパネルは電器のディスプレイスクリーン上に配置されて使用され、これにより使用者にインタラクティブな入力操作を実行させられ、大幅にマンマシンインタフェースの親和性を改善し、並びに入力操作効率をアップしている。
【０００４】
近年、携帯電話が発展勃興し、スマートホンはさらに急速に発展し、携帯電話機構のさらなる軽量薄型化の要求に応え、パネル上に使用される材料サイズ及び素子数量は、縮小或いは減らされることが要求される。さらに、シングルチップ液晶駆動チップモジュールの使用は、機構をより小型化しさらに良好に組み合わせられ、及び、組み立て歩留りをアップし、モジュールコストを下げ、外部素子を縮減するため、すでに重要な傾向となっていることはすでに重要な傾向となっている。また、業者は、携帯電話の単一電源を応用しつつ、比較的大きな範囲の電源供給規格、たとえば２．３Ｖ〜４．６Ｖを解決し、及び、ディスプレイパネルを駆動する駆動チップの面積を縮小するため、二種類の要求を満足させられる駆動方式を提出してきた。
【０００５】
一般の表示装置のデータ駆動回路（Ｓｏｕｒｃｅ  ｄｒｉｖｅｒ）は演算増幅器（Ｏｐ−ａｍｐ）を使用するか或いは抵抗分圧の方式で、ディスプレイパネルを駆動する。ディスプレイパネルの駆動回路は、複数のデジタルアナログ変換回路と複数の駆動ユニットを包含する。これらデジタルアナログ変換回路はそれぞれが画素データを受け取り、並びに画素データを変換して画素信号となし、これらデジタルアナログ変換回路は、これら画素信号を、それぞれこれら駆動ユニットに伝送し、駆動信号を発生させる。これら駆動ユニットはそれぞれ駆動信号をディスプレイパネルに伝送し、ディスプレイパネルにフレームを表示させる。そのうち、駆動回路には、昇圧回路が外付けされ、並びにデジタルアナログ変換回路の出力信号レベルを維持する必要があり、このため、昇圧回路は保存コンデンサに接続されなければならない。しかし、保存コンデンサが必要とする静電容量は大きく（約０．１ｕＦ〜４．７ｕＦ）、ゆえに、保存コンデンサは外付けコンデンサ素子を使用する必要があり、このため製造コストが増加した。もし、この保存コンデンサを駆動回路中に設置するならば、駆動回路の面積が増加し得る。
【発明の概要】
【発明が解決しようとする課題】
【０００６】
これにより、上述の問題に対して、一種の新たなディスプレイパネルの駆動回路及びその駆動モジュールと表示装置と製造方法を提供し、駆動回路に外付けされる保存コンデンサが占める面積を縮小し、甚だしくは外付けの保存コンデンサを不要とし、上述の問題を解決することが必要である。
【０００７】
本発明の目的の一つは、一種のディスプレイパネルの駆動回路及びその駆動モジュールと表示装置と製造方法を提供することにあり、それは、複数のデジタルアナログ変換回路と複数の駆動ユニットが、それぞれ昇圧回路と昇圧ユニットを使用して異なる供給電圧を提供し、これにより駆動回路に外付けされた保存コンデンサが占有する面積を縮小し、甚だしくは外付けの保存コンデンサを不要とし、これにより回路面積を節約し、ひいては製造コストを節約する目的を達成するものとする。
【０００８】
本発明の目的の一つは、一種のディスプレイパネルの駆動回路及びその駆動モジュールと表示装置と製造方法を提供することにあり、それは、これら駆動ユニットの差動ユニットと出力ユニットがそれぞれ昇圧回路と昇圧ユニットが提供する異なる供給電圧を使用して、駆動ユニットの出力電圧の安定性を高めるものとする。
【０００９】
本発明の目的の一つは、一種のディスプレイパネルの駆動回路及びその駆動モジュールと表示装置と製造方法を提供することにあり、それは、これら駆動ユニットが、ガンマ回路とこれらデジタルアナログ変換回路の間に設置され、これによりこれら駆動ユニットの使用を減らし、回路面積を減らし、ひいては製造コストを減らす目的を達成するものとする。
【課題を解決するための手段】
【００１０】
上述の各目的と作用効果を達成するため、本発明は一種のディスプレイパネルの駆動回路を提供し、それは、複数の駆動ユニット、複数のデジタルアナログ変換回路、一つの昇圧回路、及び少なくとも一つの昇圧ユニットを包含する。これら駆動ユニットは、それぞれガンマ回路のガンマ電圧に基づき、参考駆動電圧を発生し、これらデジタルアナログ変換回路はこれら駆動ユニットの出力する該参考駆動電圧を受け取り、並びにそれぞれ画素データに基づきこれら参考駆動電圧のうち一つを、データ駆動電圧として選択し、これらデジタルアナログ変換回路はこれらデータ駆動電圧を該ディスプレイパネルに伝送して、フレームを表示させ、該昇圧回路は第１供給電圧を発生し、並びに第１供給電圧をこれらデジタルアナログ変換回路に提供し、該少なくとも一つの昇圧ユニットは第２供給電圧を発生し、並びに該第２供給電圧をこれら駆動ユニットに提供する。
【００１１】
本発明はさらに一種のディスプレイパネルの駆動モジュールを提供し、それは、軟性回路板とチップを包含する。該軟性回路板は、該ディスプレイパネルに電気的に接続され、該チップは該軟性回路板上に設置され、該チップは、複数の駆動ユニット、複数のデジタルアナログ変換回路、一つの昇圧回路及び少なくとも一つの昇圧ユニットを包含する。これら駆動ユニットは、それぞれガンマ回路のガンマ電圧に基づき、参考駆動電圧を発生し、これらデジタルアナログ変換回路はこれら駆動ユニットの出力する該参考駆動電圧を受け取り、並びにそれぞれ画素データに基づきこれら参考駆動電圧のうち一つを、データ駆動電圧として選択し、これらデジタルアナログ変換回路はこれらデータ駆動電圧を該ディスプレイパネルに伝送して、フレームを表示させ、該昇圧回路は第１供給電圧を発生し、並びに第１供給電圧をこれらデジタルアナログ変換回路に提供し、該少なくとも一つの昇圧ユニットは第２供給電圧を発生し、並びに該第２供給電圧をこれら駆動ユニットに提供する。
【００１２】
本発明はまた、一種の表示装置を提供し、それはディスプレイパネル、軟性回路板及びチップを包含する。該ディスプレイパネルは画像を表示するのに用いられる。該軟性回路板は、該ディスプレイパネルに電気的に接続される。該チップは該軟性回路板上に設置され、並びに複数のデータ駆動電圧を発生してディスプレイパネルに送り、フレームを表示させる。そのうち、チップは複数の駆動ユニット、複数のデジタルアナログ変換回路、一つの昇圧回路及び少なくとも一つの昇圧ユニットを包含する。これら駆動ユニットは、それぞれガンマ回路のガンマ電圧に基づき、参考駆動電圧を発生し、これらデジタルアナログ変換回路はこれら駆動ユニットの出力する該参考駆動電圧を受け取り、並びにそれぞれ画素データに基づきこれら参考駆動電圧のうち一つを、データ駆動電圧として選択し、これらデジタルアナログ変換回路はこれらデータ駆動電圧を該ディスプレイパネルに伝送する。該昇圧回路は第１供給電圧を発生し、並びに第１供給電圧をこれらデジタルアナログ変換回路に提供する。該少なくとも一つの昇圧ユニットは第２供給電圧を発生し、並びに該第２供給電圧をこれら駆動ユニットに提供する。
【００１３】
本発明はさらに一種のディスプレイパネルの駆動回路を提供し、それは、複数のデジタルアナログ変換回路、複数の駆動ユニット、一つの昇圧回路及び少なくとも一つの昇圧ユニットを包含する。これらデジタルアナログ変換回路はガンマ回路の複数のガンマ電圧を受け取り、並びにそれぞれ画素データに基づき、これら参考駆動電圧のうちの一つを参考駆動電圧として選択する。これら駆動ユニットは、それぞれこれらデジタルアナログ変換回路の出力する参考駆動電圧を受け取り、並びにそれに基づきデータ駆動電圧を発生し、且つ該データ駆動電圧をディスプレイパネルに伝送し、フレームを表示させる。該昇圧回路は第１供給電圧を発生し、並びに該第１供給電圧をこれらデジタルアナログ変換回路に提供する。該少なくとも一つの昇圧ユニットは、第２供給電圧を発生し、並びにそれをこれら駆動ユニットに提供し、そのうち、これら駆動ユニットは差動ユニットと出力ユニットを包含する。該差動ユニットは第１供給電圧を受け取って差動ユニットの電源となし、並びに参考駆動電圧に基づき、差動電圧を発生する。該出力ユニットは、第２供給電圧を受け取って、該出力ユニットの電源となし、並びに差動電圧に基づきデータ駆動電圧を発生する。
【発明の効果】
【００１４】
総合すると、本発明のディスプレイパネルの駆動回路は、複数の駆動ユニットがそれぞれガンマ回路のガンマ電圧に基づいて参考駆動電圧を発生し、複数のデジタルアナログ変換回路がこれら駆動ユニットの出力する参考駆動電圧を受け取り、並びにそれぞれ画素データに基づき、これら参考駆動電圧のうちの一つをデータ駆動電圧として選択し、これらデジタルアナログ変換回路がこれらデータ駆動電圧をディスプレイパネルに伝送してフレームを表示させ、昇圧回路が第１供給電圧を発生し、並びに第１供給電圧をこれらデジタルアナログ変換回路に提供し、少なくとも一つの昇圧ユニットが第２供給電圧を発生し、並びに第２供給電圧をこれら駆動ユニットに提供する。こうして、本発明は、複数のデジタルアナログ変換回路と複数の駆動ユニットがそれぞれ昇圧回路と昇圧ユニットが提供する異なる供給電圧を使用することで、駆動回路に外付けされる保存コンデンサの占有面積を縮小し、甚だしくは保存コンデンサを外付けする必要をなくし、こうして回路面積の縮小を達成し、さらには製造コストの節約の目的を達成する。
【図面の簡単な説明】
【００１５】
【図１】本発明の好ましい実施例の表示装置のブロック図である。
【図２】本発明の好ましい実施例のデータ駆動回路のブロック図である。
【図３】本発明のディスプレイパネルのソース線上の画素構造のＲＣ等価回路表示図である。
【図４】本発明の第１実施例のディスプレイパネルの駆動回路のブロック図である。
【図５】本発明の第２実施例のディスプレイパネルの駆動回路のブロック図である。
【図６】本発明の第３実施例のディスプレイパネルの駆動回路のブロック図である。
【図７】本発明の第１実施例の駆動ユニットの回路図である。
【図８】本発明の第２実施例の駆動ユニットの回路図である。
【図９】本発明の第４実施例のディスプレイパネルの駆動回路のブロック図である。
【図１０】本発明の第１実施例の昇圧ユニットの回路図である。
【図１１】本発明の第５実施例のディスプレイパネルの駆動回路のブロック図である。
【図１２】本発明の第２実施例の昇圧ユニットの回路図である。
【図１３】本発明の第３実施例の昇圧ユニットの回路図である。
【図１４Ａ】表示モジュールの構造表示図である。
【図１４Ｂ】本発明の表示モジュールの構造表示図である。
【図１５】表示モジュールの製造方法のフローチャートである。
【発明を実施するための形態】
【００１６】
明細書及び後続の特許請求の範囲中で使用されるある名詞は特定の素子を指す。本発明の属する領域における通常の知識を有する者であれば、理解できることであるが、ハードウエアメーカーは、異なる名詞を以て同一の素子を呼称し得る。本明細書及び後続の特許請求の範囲は名称の差異を以て素子を区分する方式ではなく、素子の機能上の差異を以て区分する原則にしたがっている。明細書及び特許請求の範囲全般にわたり、使用される「包含」とは、開放式の用語であり、ゆえに、「包含するがこれに限定されるわけではない」と理解されるべきである。このほか、「接続」は、直接及び間接的な電気的接続手段を包含し得る。これにより、文中にもし第１装置が第２装置に接続されるとの記述があれば、それは、該第１装置が直接電気的に該第２装置に接続されるか、或いはその他の装置或いは接続手段を介して間接的に該第２装置に電気的に接続されることを表す。
【００１７】
以下に本発明の技術内容、構造特徴、達成する目的及び作用効果について、以下に例を挙げ並びに図面を組み合わせて詳細に説明する。
【００１８】
図１を参照されたい。それは本発明の好ましい実施例の表示装置のブロック図である。図示されるように、本発明の表示装置１は、走査駆動回路２、データ駆動回路３、タイミングコントロール回路４及びディスプレイパネル５を包含する。走査駆動回路２は複数の走査駆動電圧Ｖg1〜Ｖgmを発生し、並びにこれら走査駆動電圧Ｖg1〜Ｖgmを、ディスプレイパネル５に伝送する。データ駆動回路３は、複数のデータ駆動電圧Ｖs1〜Ｖsnを発生し、並びにこれら走査駆動電圧Ｖg1〜Ｖgmに対応してこれらデータ駆動電圧Ｖs1〜Ｖsnをディスプレイパネル５に伝送し、これによりディスプレイパネル５を駆動して画像を表示させる。
【００１９】
タイミングコントロール回路４は、第１タイミング信号ＶT1と第２タイミング信号ＶT2を発生し、該タイミングコントロール回路４は、該第１タイミング信号ＶT1と該第２タイミング信号ＶT2をそれぞれ走査駆動回路２とデータ駆動回路３に送り、これにより走査駆動回路２をコントロールしてディスプレイパネル５に伝送する走査駆動電圧Ｖg1〜Ｖgmをデータ駆動回路３がディスプレイパネル５に伝送するデータ駆動電圧Ｖs1〜Ｖsnに同期させる。すなわち、走査駆動回路２が走査駆動電圧Ｖg1をディスプレイパネル５に伝送する時に、データ駆動回路３は走査駆動電圧Ｖg1に対応してこれらデータ駆動電圧Ｖs1〜Ｖsnを、ディスプレイパネル５に伝送し、ディスプレイパネル５を駆動して第１列の画像を表示させる。走査駆動回路２が走査駆動電圧Ｖg2をディスプレイパネル５に伝送する時、データ駆動回路３は、走査駆動電圧Ｖg2に対応してこれらデータ駆動電圧Ｖs1〜Ｖsnをディスプレイパネル５に伝送し、ディスプレイパネル５を駆動して第２列の画像を表示させる。これから類推されるようにして、ディスプレイパネル５を駆動して全体の表示フレームを表示させる。
【００２０】
図２を参照されたい。それは本発明の好ましい実施例のデータ駆動回路のブロック図である。図示されるように、データ駆動回路３は、ガンマ（Ｇａｍｍａ）回路３２と駆動回路３４を包含する。ガンマ回路３２は、ガンマ曲線に基づき、複数のガンマ電圧を発生し、ガンマ回路３２はこれらガンマ電圧を、駆動回路３４に伝送する。そのうち、これらガンマ電圧は、異なるレベルの電圧信号とされ、駆動回路３４はこれらガンマ電圧と複数の画素データを受け取り、駆動回路３４はそれぞれこれら画素データに基づき、これらガンマ電圧のうちの一つの選択し、これら画素データに対応してこれらデータ駆動電圧Ｖs1〜Ｖsnを発生し、並びにこれらデータ駆動電圧Ｖs1〜Ｖsnをディスプレイパネル５に伝送し、こうしてディスプレイパネル５を駆動し画像を表示させる。
【００２１】
図３も併せて参照されたい。それは本発明のディスプレイパネルのソース線上の画素構造のＲＣ等価回路を示す。図示されるように、本発明の好ましい実施例は、ディスプレイパネル５が薄膜トランジスタ液晶ディスプレイ（ＴＦＴ−ＬＣＤ）とされる。ディスプレイパネル５は、複数の画素構造５０を包含し、これら画素構造５０は、駆動回路３４に接続され、ディスプレイパネル５中の各一つのソース線上の画素構造５０は、薄膜トランジスタ（Ｔｈｉｎ−Ｆｉｌｍ  Ｔｒａｎｓｉｓｔｏｒ，ＴＦＴ）とされ、画素構造５０は抵抗５００をコンデンサ５０２に直列に接続したものに等価とされ得る。
【００２２】
図４を参照されたい。それは本発明の第１実施例のディスプレイパネルの駆動回路のブロック図である。図示されるように、本発明のディスプレイパネルの駆動回路３４は、複数の駆動ユニット３４０、複数のデジタルアナログ変換回路３４２、一つの昇圧回路３４４及び少なくとも一つの昇圧ユニット３４６を包含する。これら駆動ユニット３４０はガンマ回路３２に接続され、これら駆動ユニット３４０はそれぞれガンマ回路３２のガンマ電圧Ｖ1〜Ｖrに基づき、参考駆動電圧を発生し、すなわち、ガンマ回路３２の複数の出力線は、それぞれこれら駆動ユニット３４０に接続され、ガンマ回路３２は、これら出力線を介して、それぞれこれらガンマ電圧Ｖ1〜Ｖrをこれら駆動ユニット３４０に伝送し、これら駆動ユニット３４０に、それぞれ複数の参考駆動電圧Ｖref1〜Ｖrefrを発生させ、並びにこれら参考駆動電圧Ｖref1〜Ｖrefrをこれらデジタルアナログ変換回路３４２に伝層させる。
【００２３】
これらデジタルアナログ変換回路３４２は、これら駆動ユニット３４０に接続され、並びにこれら駆動ユニット３４０が伝送したこれら参考駆動電圧Ｖref1〜Ｖrefrとこれら画素データを受け取り、並びにそれぞれこれら画素データに基づき、これら参考駆動電圧Ｖref1〜Ｖrefrのうちの一つを、データ駆動電圧Ｖsとして選択し、これらデジタルアナログ変換回路３４２は、これらデータ駆動電圧Ｖs1〜Ｖsnを、ディスプレイパネル５に伝送し、フレームを表示させる。すなわち、各デジタルアナログ変換回路３４２は、いずれもこれら参考駆動電圧Ｖref1〜Ｖrefrを受け取り、並びにこれら画素データに基づき、これら参考駆動電圧Ｖref1〜Ｖrefrのうちの一つをデータ駆動電圧Ｖsとして選択し、ゆえに、これらデジタルアナログ変換回路３４２がこれらデータ駆動電圧Ｖs1〜Ｖsnを発生し、並びにこれらデータ駆動電圧Ｖs1〜Ｖsnをディスプレイパネル５に伝送し、フレームを表示させる。そのうち、これら画素データは、ラインバッファ３４９が提供するか、或いは、図２に示されるように、駆動回路３４への入力により提供される。
【００２４】
昇圧回路３４４はガンマ回路３２とこれらデジタルアナログ変換回路３４２に接続され、並びに昇圧回路３４４は、第１供給電圧ＶP1を発生し、並びに該第１供給電圧ＶP1をガンマ回路３２とこれらデジタルアナログ変換回路３４２に提供する。少なくとも一つの昇圧ユニット３４６は、これら駆動ユニット３４０に接続され、並びに第２供給電圧ＶP2を発生し、該第２供給電圧ＶP2をこれら駆動ユニット３４０に提供する。本実施例では、僅かに一つの昇圧ユニット３４６を使用して第２供給電圧ＶP2を発生し、第２供給電圧ＶP2をこれら駆動ユニット３４０に提供しており、そのうち、昇圧ユニット３４６はフライングコンデンサＣf1とＣf2及び保存コンデンサＣs1に接続され、駆動ユニット３４０はフライングコンデンサＣf3とＣf4と保存コンデンサＣs2に接続されている。上述したことに基づき、これら駆動ユニット３４０とこれらデジタルアナログ変換回路３４２は、個別の電源供給を有し得る。こうして、本発明は、これら昇圧ユニット３４６と昇圧回路３４４が個別にその対応する装置に電圧を供給するために、外付けの保存コンデンサＣs1及びＣs2の面積を縮小し、ひいては外付けの保存コンデンサＣs1を不要とし、回路面積節約の目的を達成する。
【００２５】
さらに、ディスプレイパネル５のソース線数量は、ガンマ回路３２の出力線より大きく、ゆえに、本実施例は、これら駆動ユニット３４０がガンマ回路３２とこれらデジタルアナログ変換回路３４２の間に設置されることで、すなわち、これら駆動ユニット３４０がガンマ回路３２の出力線に設置され、すなわち、これら駆動ユニット３４０の使用を減らせ、回路面積を減らして製造コストを減らす目的を達成できる。
【００２６】
このほか、本発明の駆動回路は、さらにラインバッファ３４９を包含する。該ラインバッファ３４９は、これら画素データを暫時保存するのに用いられ、並びにこれら画素データを、これらデジタルアナログ変換回路３４２に伝送する。
【００２７】
図５も併せて参照されたい。それは本発明の第２実施例のディスプレイパネルの駆動回路のブロック図である。図示されるように、本実施例の、図４の実施例との異なるところは、本実施例では、二つの昇圧ユニット３４６、３４８を使用し、昇圧ユニット３４６、３４８はそれぞれ第２供給電圧ＶP2と第３供給電圧ＶP3を提供し、昇圧ユニット３４６は、第２供給電圧ＶP2をこれら駆動ユニット３４０の前半の駆動ユニット３４０に伝送し、昇圧ユニット３４８は、第３供給電圧ＶP3をこれら駆動ユニットの後半の駆動ユニット３４０に伝送する。このほか、昇圧ユニット３４６、３４８は並びに、必ずしも各半分のこれら駆動ユニット３４０に分配される必要はなく、異なる比で分配されてもよく、たとえば昇圧ユニット３４６はこれら駆動ユニット３４０の前の三分の１を分担し、昇圧ユニット３４８がこれら駆動ユニット３４０の後ろの三分の２を分担するか、或いは、昇圧ユニット３４６はこれら駆動ユニット３４０の前の４分の１を分担し、昇圧ユニット３４８がこれら駆動ユニット３４０の後ろの４分の３を分担してもよい。
【００２８】
このほか、本発明は並びに、一つ或いは二つの昇圧ユニットの使用に限定されるわけではなく、本発明は、一つの昇圧ユニットがこれら駆動ユニット３４０に対応するものから、一つの昇圧ユニットが一つの駆動ユニット３４０に対応するものまで、いずれも本発明の保護を必要とする範囲とされる。
【００２９】
図６と図７を併せて参照されたい。それは本発明の第３実施例のディスプレイパネルの駆動回路のブロック図と、本発明の第１実施例の駆動ユニットの回路図である。図示されるように、本実施例の、図４の実施例との異なるところは、本実施例のこれら駆動ユニット３４０は、昇圧回路３４４が発生する第１供給電圧ＶP1と、昇圧ユニット３４６が発生する第２供給電圧ＶP2を同時に受け取ることであり、すなわち、図７に示されるように、本実施例の駆動ユニット３４０は、差動ユニット３４００と出力ユニット３４０２を包含する。差動ユニット３４００は、第１供給電圧ＶP1を受け取って、差動ユニット３４００の電源となし、並びにガンマ電圧に基づいて差動電圧Ｖdを発生し、出力ユニット３４０２は第２供給電圧ＶP2を受け取り、出力ユニット３４０２の電源となし、並びに差動電圧Ｖdに基づいて、参考駆動電圧Ｖrefを発生する。
【００３０】
以上述べたことを受け、本実施例の差動ユニット３４００は、トランジスタ３４０００、トランジスタ３４００２、トランジスタ３４００４、トランジスタ３４００６、及び電流源３４００８を包含する。トランジスタ３４０００のゲート電極は、ガンマ回路３２の出力線に接続されて、ガンマ回路３２の出力するガンマ電圧を受け取り、トランジスタ３４０００の第１端は、トランジスタ３４００２の第１端に接続され、トランジスタ３４００２のゲート電極端は駆動ユニット３４０の出力端に接続され、トランジスタ３４００２の第２端は、トランジスタ３４００４の第１端に接続され、トランジスタ３４００４の第２端は電源端に接続されて、昇圧回路３４４が提供する第１供給電圧ＶP1を受け取り、トランジスタ３４００４のゲート電極端は、トランジスタ３４００６のゲート電極とトランジスタ３４００４の第１端に接続され、トランジスタ３４００６の第１端はトランジスタ３４０００の第２端に接続され、トランジスタ３４００６の第２端は電源端に接続されて、昇圧回路３４４が提供する第１供給電圧ＶP1を受け取り、電流源３４００８の第１端は、トランジスタ３４０００の第１端とトランジスタ３４００２の第１端に接続され、電流源３４００８の第２端は参考電位に接続される。
【００３１】
さらに、本実施例の出力ユニット３４０２は、トランジスタ３４０４０と電流源３４０２２を包含する。トランジスタ３４０４０のゲート電極は、トランジスタ３４０００の第２端とトランジスタ３４００６の第１端に接続され、トランジスタ３４０２０の第１端は駆動ユニット３４０の出力端に接続され、トランジスタ３４０２０の第２端は電源端に接続されて、昇圧ユニット３４６の出力する第２供給電圧ＶP2を受け取り、電流源３４０２２の第１端は駆動ユニット３４０の出力端に接続され、電流源３４０２２の第２端は参考電位に接続される。こうして、本実施例は、これら駆動ユニット３４０の差動ユニット３４００と出力ユニット３４０２がそれぞれ昇圧回路３４４と昇圧ユニット３４６が個別に提供する電圧をその対応する装置に提供し、これにより駆動ユニット３４０が出力する電圧の安定性をアップする。
【００３２】
このほか、本発明は、これら駆動ユニット３４０の差動ユニット３４００と出力ユニット３４０２がそれぞれ昇圧回路３４４と昇圧ユニット３４６が提供する個別の供給電圧を使用するほか、本発明のこれら駆動ユニット３４０の差動ユニット３４００と出力ユニット３４０２はまた、同時に昇圧ユニット３４６が提供する第２供給電圧ＶP2を受け取れる。
【００３３】
図８を参照されたい。それは本発明の第２実施例の駆動ユニットの回路図である。図示されるように、本実施例の、図７に示される実施例との異なるところは、本実施例の駆動ユニット３４０は、トラックツートラックの差動ユニット３４０４を使用しており、ゆえに、本実施例の駆動ユニット３４０は、差動ユニット３４０４と出力ユニット３４０６を包含するのである。差動ユニット３４０４はトランジスタ３４０４０〜３４０５３を包含する。
【００３４】
トランジスタ３４０４０のゲート電極端は、ガンマ回路３２の出力端に接続され、トランジスタ３４０４０の第１端は、トランジスタ３４０４１の第１端に接続され、トランジスタ３４０４０の第２端は、トランジスタ３４０４６とトランジスタ３４０４８の間に接続され、トランジスタ３４０４１のゲート電極端は、駆動ユニット３４０の出力端に接続され、トランジスタ３４０４１の第２端は、トランジスタ３４０４７と３４０４９の間に接続され、電流源３４０４２の第１端は、トランジスタ３４０４０の第１端とトランジスタ３４０４１の第１端に接続され、電流源３４０４２の第２端は電源端に接続されて、昇圧回路３４４の提供する第１供給電圧ＶP1を受け取り、トランジスタ３４０４３のゲート電極は、ガンマ回路３２の出力端に接続され、トランジスタ３４０４３の第２端は、トランジスタ３４０５０と３４０５２の間に接続され、トランジスタ３４０４４のゲート電極端は駆動ユニット３４０の出力端に接続され、トランジスタ３４０４４の第２端は、トランジスタ３４０５１と３４０５３の間に接続され、電流源３４０４５の第１端はトランジスタ３４０４３の第１端とトランジスタ３４０４４の第１端に接続され、電流源３４０４５の第２端は参考電位に接続される。
【００３５】
以上述べたことを受け、本実施例のトランジスタ３４０４６のゲート電極は、トランジスタ３４０４７のゲート電極に接続され、トランジスタ３４０４６の第１端は、参考電位に接続され、トランジスタ３４０４６の第２端は、トランジスタ３４０４８の第１端に接続される。トランジスタ３４０４７の第１端は参考電位に接続され、トランジスタ３４０４７の第２端はトランジスタ３４０４７のゲート電極端とトランジスタ３４０４９の第１端に接続される。トランジスタ３４０４８のゲート電極端は第１参考電圧Ｖb1を受け取り、トランジスタ３４０４８の第２端はトランジスタ３４０５２の第１端に接続される。トランジスタ３４０４９のゲート電極端は第１参考電圧Ｖb1を受け取り、トランジスタ３４０４９の第２端は、トランジスタ３４０５３の第１端に接続される。
【００３６】
トランジスタ３４０５０のゲート電極端は、トランジスタ３４０５１のゲート電極端に接続され、トランジスタ３４０５０の第１端は、トランジスタ３４０５２の第２端に接続され、トランジスタ３４０５０の第２端は電源端に接続されて、昇圧回路３４４が出力する第１供給電圧ＶP1を受け取る。トランジスタ３４０５１の第１端は、トランジスタ３４０５３の第２端と、トランジスタ３４０５１のゲート電極端に接続され、トランジスタ３４０５１の第２端は電源端に接続されて、昇圧回路３４４が出力する第１供給電圧ＶP1を受け取る。トランジスタ３４０５２とトランジスタ３４０５３のゲート電極端は、第２参考電圧Ｖb2を受け取る。
【００３７】
本実施例の出力ユニット３４０６は、トランジスタ３４０６０と３４０６２を包含する。トランジスタ３４０６０のゲート電極端は、トランジスタ３４０５０の第１端に接続され、トランジスタ３４０５２の第２端は、トランジスタ３４０４３の第２端に接続され、トランジスタ３４０６０の第１端は、トランジスタ３４０６２の第１端と駆動ユニット３４０の出力端に接続され、トランジスタ３４０６０の第２端は、電源端に接続されて、昇圧ユニット３４６の出力する第２供給電圧ＶP2を受け取る。トランジスタ３４０６２のゲート電極端は、トランジスタ３４０４６の第２端、トランジスタ３４０４８の第１端、及びトランジスタ３４０４０の第２端に接続され、トランジスタ３４０６２の第２端は参考電位に接続される。ゆえに、負荷が出力電流を大幅に変動させる時に、これら駆動ユニット３４０の差動ユニット３４０４の電源に影響がでて、それにより差動ユニット３４０４の出力する差動電圧Ｖdの順位に影響が生じるのを防止できる。こうして、本実施例は、差動ユニット３４０４と出力ユニット３４０６がそれぞれ昇圧回路３４４と昇圧ユニット３４６が提供する個別の供給電圧を使用することにより、駆動ユニット３４０が出力する電圧の安定性を高める。
【００３８】
図９を併せて参照されたい。それは本発明の第４実施例のディスプレイパネルの駆動回路のブロック図である。図示されるように、本実施例の、図６に示される実施例とは異なるところは、本実施例のこれら駆動ユニット３４０とこれらディスプレイパネル５４２の位置が相互に対応し、すなわち、ガンマ回路３２の出力端は、これらデジタルアナログ変換回路３４２に接続され、これらデジタルアナログ変換回路３４２の出力端は、それぞれこれら駆動ユニット３４０に接続され、すなわち、これらデジタルアナログ変換回路３４２がガンマ回路３２のこれらガンマ電圧Ｖ1〜Ｖrを受け取り、並びにそれぞれ画素データに基づき、これらガンマ電圧Ｖ1〜Ｖrのうちの一つを参考駆動電圧Ｖrefとして選択し、これら駆動ユニット３４０はそれぞれこれらデジタルアナログ変換回路が出力する参考駆動電圧Ｖref1〜Ｖrefrを受け取り、並びに参考駆動電圧Ｖrefに基づき、データ駆動電圧Ｖsを発生し、且つデータ駆動電圧Ｖsをディスプレイパネル５に伝送し、フレームを表示させる。昇圧回路３４４と昇圧ユニット３４６の部分は、いずれも図６に示される実施例と同じであり、ゆえに、ここでは重複した説明は行なわない。
【００３９】
本実施例のこれら駆動ユニット３４０は、図６の実施例と同様であり、これら駆動ユニット３４０は同時に昇圧回路３４４が発生する第１供給電圧ＶP1と昇圧ユニット３４６が発生する第２供給電圧ＶP2を受け取り、すなわち、図７に示される例では、差動ユニット３４００が第１供給電圧ＶP1を受け取り、差動ユニット３４００の電源となし、出力ユニット３４０２が第２供給電圧ＶP2を受け取り、出力ユニット３４０２の電源となし、こうして、本実施例のディスプレイパネルの駆動回路は、これら駆動ユニットの差動ユニット３４００と出力ユニット３４０２がそれぞれ昇圧回路３４４と昇圧ユニット３４６の提供する個別の供給電圧を使用し、こうして駆動ユニットが出力する電圧の安定性をアップする。
【００４０】
図１０を参照されたい。それは本発明の第１実施例の昇圧ユニットの回路図である。図示されるように、本実施例の昇圧ユニット３４６は、コンデンサ式昇圧回路とされ、昇圧ユニット３４６は、フライングコンデンサ３４６０、トランジスタ３４６１〜３４６４及び保存コンデンサＣs1を包含する。フライングコンデンサ３４６０は第２供給電圧ＶP2を発生するのに用いられ、トランジスタ３４６１の一端は、フライングコンデンサ３４６０の一端に接続され、トランジスタ３４６１のもう一端は入力電圧ＶINを受け取り、並びに第１コントロール信号ＸＡのコントロールを受け、トランジスタ３４６２はフライングコンデンサ３４６０とトランジスタ３４６１に接続され、並びに第２コントロール信号ＸＢのコントロールを受けて、第２供給電圧ＶP2を出力し、トランジスタ３４６３の一端は、フライングコンデンサ３４６０の別の一端に接続され、トランジスタ３４６３の別の一端は、入力電圧ＶINを受け取り、並びに第２コントロール信号ＸＢのコントロールを受け、トランジスタ３４６４の一端は、フライングコンデンサ３４６０とトランジスタ３４６３に接続され、トランジスタ３４６４の別の一端は、接地端に接続され、並びに第１コントロール信号ＸＡのコントロールを受け、及び、保存コンデンサＣs1の一端は、トランジスタ３４６２に接続され、保存コンデンサＣs1の別の一端は、接地端に接続され、第２供給電圧ＶP2を保存並びに出力する。こうして、本実施例の昇圧ユニット３４６は入力電圧ＶINを受け取った後、第１コントロール信号ＸＡ及び第２コントロール信号ＸＢを利用してトランジスタ３４６１〜３４６４をコントロールし、それにより第２供給電圧ＶP2を発生してこれら駆動ユニット３４０へと出力する。
【００４１】
図１１を参照されたい。それは本発明の第５実施例のディスプレイパネルの駆動回路のブロック図である。図示されるように、本実施例の、上述の実施例との異なるところは、本実施例の昇圧ユニット３４６は、保存コンデンサＣs1を設置する必要がないところであり、すなわち、昇圧ユニット３４６とこれら駆動ユニット３４０の間に、それぞれ連接経路があり、連接経路上に保存コンデンサＣs1がない。さらに述べると、図４中において、昇圧ユニット３４６が保存コンデンサＣs1を設置する必要がない設計方式を採用でき、すなわち、昇圧ユニット３４６とこれら駆動ユニット３４０の間に連接経路を具え、連接経路上に、保存コンデンサＣs1がないものとできる。図５においては、昇圧ユニット３４６と３４８にそれぞれ保存コンデンサＣs1とＣS3を設置する必要のない設計方式を採用でき、すなわち、昇圧ユニット３４６とこれら駆動ユニット３４０の間に連接経路を具え、連接経路上に保存コンデンサＣs1がなく、昇圧ユニット３４８とこれら駆動ユニット３４０の間に連接経路を具え、連接経路上に保存コンデンサＣs3がないものとできる。
【００４２】
再度図７を参照されたい。駆動ユニット３４０は、駆動ユニット３４００と出力ユニット３４０２を包含する。これにより、図１１に示される昇圧ユニット３４６は保存コンデンサＣs1を設置する必要がなく、また、昇圧ユニット３４６と出力ユニット３４０２の間に連接経路を具え、連接経路上に保存コンデンサＣs1が接続されていない設計とすることができる。さらに述べると、図６中にも、昇圧ユニット３４６に保存コンデンサＣs1を設置しない設計方式を採用でき、すなわち、昇圧ユニット３４６と出力ユニット３４０２の間に連接経路を具え、連接経路上に保存コンデンサＣs1を接続しない設計方式とすることができる。
【００４３】
このほか、再び図７と図８を参照されたい。駆動ユニット３４０は、差動ユニット３４００、３４０４と出力ユニット３４０２、３４０６を包含する。昇圧ユニット３４６は駆動ユニット３４０の出力ユニット３４０２、３４０６に接続され、ゆえに、昇圧ユニット３４６と出力ユニット３４０２、３４０６の間には連接経路があり、この連接経路には、保存コンデンサＣs1は接続されていない。上述の実施例のほか、昇圧ユニット３４６は駆動ユニット３４０の差動ユニット３４００、３４０４と出力ユニット３４０２、３４０６に接続可能で、ゆえに、昇圧ユニット３４６と差動ユニット３４００、３４０４と出力ユニット３４０２、３４０６の間は、それぞれ連接経路があり、この連接経路上には保存コンデンサＣs1は接続されていない。
【００４４】
図１２も併せて参照されたい。それは本発明の第２実施例の昇圧ユニットの回路図である。図示されるように、本実施例の、図１０の実施例との異なるところは、本実施例の昇圧ユニット３４６には保存コンデンサＣs1を使用する必要がなく、本発明の昇圧ユニット３４６は、これら駆動ユニット３４０の第２供給電圧ＶP2を提供するのに用いられ、駆動ユニット３４０は僅かにパネル（たとえば図４に示されるディスプレイパネル５）を駆動するだけでよく、それはデジタルアナログ変換回路（たとえば図４に示されるデジタルアナログ変換回路３４２）を、正確な参考電圧を維持するために具備せず、ゆえに、電源の、保存コンデンサがない状況での大幅な振動を許容し、ゆえに、本実施例の昇圧ユニット３４６は、僅かにフライングコンデンサ３４６０を使用して第２供給電圧ＶP2を発生し、保存コンデンサＣs1を外付けする必要がなく、すなわち、これら駆動ユニット３４０が必要とする電源を供給するのに用いられて、回路面積を減らして製造コストを減らす目的を達成できる。
【００４５】
図１３は、本発明の第３実施例の昇圧ユニットの回路図である。図示されるように、本実施例の昇圧ユニット３４６の、図１１と図１２の実施例の昇圧ユニット３４６との異なるところは、本実施例の昇圧ユニット３４６は、インダクタ式昇圧ユニットとされるところである。本実施例の昇圧ユニット３４６は、コントロールトランジスタ３４７０、ダイオード３４７２、保存インダクタ３４７４、及び出力コンデンサ３４７６を包含する。コントロールトランジスタ３４７０の一端は、入力電圧ＶINを受け取り、並びにコントロール信号Ｖcのコントロールを受け、ダイオード３４７２の一端は、コントロールトランジスタ３４７０に接続され、ダイオード３４７２の別の一端は、接地端に接続され、保存インダクタ３４７４は、コントロールトランジスタ３４７０とダイオード３４７２に接続されて、入力電圧ＶINのエネルギーを保存し、及び、出力コンデンサ３４７６の一端は、保存インダクタ３４７４に接続され、出力コンデンサ３４７６の別の一端は接地端に接続されて、入力電圧ＶINのエネルギーを保存し、並びに第２供給電圧ＶP2を発生してこれら駆動ユニット３４０に出力する。以上をまとめると、本発明は昇圧ユニット３４６がコンデンサ式昇圧ユニットであるかインダクタ式昇圧ユニットであるかにかかわらず、ただ昇圧回路３４４と昇圧ユニット３４６がそれぞれ第１供給電圧ＶP1と第２供給電圧ＶP2を発生し、並びにそれぞれ第１供給電圧ＶP1と第２供給電圧ＶP2をデジタルアナログ変換回路３４２と駆動ユニット３４０に出力すれば、いずれも本発明の保護の範囲である。
【００４６】
このほか、本発明はこれらデジタルアナログ変換回路３４２とこれら駆動ユニット３４０がそれぞれ昇圧回路３４４と昇圧ユニット３４６の提供する異なる供給電圧を使用するために、本実施例の出力コンデンサ３４７６は大容量を使用する必要がなく、本実施例の出力コンデンサ３４７６は一つのチップ内にビルトインでき、チップ外から外付けする必要がなく、回路面積の節約を達成できる。
【００４７】
図１４Ａを参照されたい。それは表示モジュールの構造表示図である。図示されるように、表示モジュールは、ディスプレイパネル５と駆動モジュール６を包含する。駆動モジュール６は、ディスプレイパネル５に電気的に接続され、ディスプレイパネル５を駆動して画像を表示する。駆動モジュール６は、軟性回路板６０と駆動チップ６２を包含する。駆動チップ６２はディスプレイパネル５の一側に設置され、並びにディスプレイパネル５と電気的に接続され、軟性回路板６０の一側はディスプレイパネル５の一側に接続され、並びに駆動チップ６２に電気的に接続され、この実施例では、保存コンデンサＣs1は軟性回路板６０上に外付けされている。
【００４８】
以上に基づき、図１４Ｂを併せて参照されたい。それは本発明の表示モジュールの構造表示図である。図示されるように、本実施例の、図１４Ａの実施例との異なるところは、本実施例の駆動チップ６２は、これら駆動ユニット３４０、これらデジタルアナログ変換回路３４２、昇圧回路３４４及び昇圧ユニット３４６を包含するところである。これら駆動ユニット３４０、これらデジタルアナログ変換回路３４２、昇圧回路３４４及び昇圧ユニット３４６の間の接続関係と差動関係は、いずれも上述されたとおりであり、ここで再び説明は行なわない。本実施例は、これらデジタルアナログ変換回路３４２とこれらｍ駆動ユニット３４０が、それぞれ昇圧回路３４４と昇圧ユニット３４６の提供する個別の供給電圧を使用することで、駆動チップ６２の必要とする保存コンデンサＣs1を大幅に縮小でき、直接駆動チップ６２内に設置でき、こうして、保存コンデンサＣs1を軟性回路板６０上に外付けする必要をなくし、さらには、駆動チップ６２（すなわち駆動回路）に保存コンデンサを外付けする必要をなくし、こうして回路面積の節約を達成し、さらには製造コスト節約の目的を達成する。
【００４９】
図１５を併せて参照されたい。それはディスプレイパネルの製造方法のフローチャートである。図示されるように、本発明のディスプレイパネルの製造方法のステップは、まず、ステップＳ１０を実行してディスプレイパネル５、軟性回路板６０と駆動チップ６２を提供し、続いて、ステップＳ１２を実行して駆動チップ６２をディスプレイパネル５上に設置し（図１４Ａに示されるとおり）、続いてステップＳ１４を実行して軟性回路板６０をディスプレイパネル５上に設置し、並びに駆動チップと電気的に接続し、そのうち、軟性回路板６０には保存コンデンサＣs1を設置する必要がない（図１４Ｂに示されるとおり）。
【００５０】
上述したことに基づき、本発明はこれらデジタルアナログ変換回路３４２とこれら駆動ユニット３４０がそれぞれ昇圧回路３４４と昇圧ユニット３４６の提供する個別の供給電圧を使用することで、駆動チップ６２の必要とする保存コンデンサＣs1を大幅に縮小することができ、直接駆動チップ６２内に設置でき、保存コンデンサＣs1を軟性回路板６０上に外付けする必要をなくし、甚だしくは駆動チップ６２（すなわち駆動回路）に保存コンデンサを外付けする必要をなくし、ゆえに、本発明は保存コンデンサの軟性回路板６０への外付けの工程が不要であり、工程時間の短縮を達成し、これにより製造コストを節約できる。
【００５１】
このほか、本発明のディスプレイパネルの製造方法は、さらにステップＳ１６を包含し、すなわち、バックライトモジュール（図示せず）をディスプレイパネル５の下方に設置し、ディスプレイパネル５に光源を提供する。
【００５２】
以上は本発明の好ましい実施例の説明に過ぎず、並びに本発明を限定するものではなく、本発明に提示の精神より逸脱せずに完成されるその他の同等の効果の修飾或いは置換は、いずれも本発明の権利請求範囲内に属する。
【００５３】
本発明は新規性、進歩性及び産業上の利用価値を有する発明であって、特許法に定められる特許の要件を満たすことに疑いはなく、ここに特許出願をいたす次第です。
【符号の説明】
【００５４】
１                                    表示装置
２                                    走査駆動回路
３                                    データ駆動回路
３２                                  ガンマ回路
３４                                  駆動回路
３４０                                駆動ユニット
３４００、３４０４                    差動ユニット
３４０００、３４００２、３４００４、
３４００６、３４０２０、３４０４０、
３４０４１、３４０４３、３４０４４、
３４０４８、３４０４９、３４０５０、
３４０５１、３４０５２、３４０５３、
３４０６０、３４０６２、
３４６１、３４６２、３４６３、３４６４  トランジスタ
３４００８、３４０２２、３４０４２、
３４０４５                            電流源
３４０２、３４０６                    出力ユニット
３４２                                デジタルアナログ変換回路
３４４                                昇圧回路
３４６、３４８                        昇圧ユニット
３４６０                              フライングコンデンサ
Ｃs1、Ｃs2                            保存コンデンサ
３４７０                              コントロールトランジスタ
３４７２                              ダイオード
３４７４                              保存インダクタ
３４７６                              出力コンデンサ
３４９                                ラインバッファ
５                                    ディスプレイパネル
５０                                  画素構造
５００                                抵抗
５０２                                コンデンサ
６                                    駆動モジュール
６０                                  軟性回路板
６２                                  駆動チップ
Ｖ1、Ｖ2〜Ｖr-1、Ｖr                    ガンマ電圧
ＶT1                                  第１タイミング信号
ＶT2                                  第２タイミング信号
Ｖs1〜Ｖsn                データ駆動電圧
ＶP1                                  第１供給電圧
ＶP2                                  第２供給電圧
ＶP3                                  第３供給電圧
Ｖg1〜Ｖgm                走査駆動電圧
Ｖref                                 参考駆動電圧
Ｖref1〜Ｖrefn            参考駆動電圧
【図１】
2014132338.tif 000003
【図２】
2014132338.tif 000004
【図３】
2014132338.tif 000005
【図４】
2014132338.tif 000006
【図５】
2014132338.tif 000007
【図６】
2014132338.tif 000008
【図７】
2014132338.tif 000009
【図８】
2014132338.tif 000010
【図９】
2014132338.tif 000011
【図１０】
2014132338.tif 000012
【図１１】
2014132338.tif 000013
【図１２】
2014132338.tif 000014
【図１３】
2014132338.tif 000015
【図１４Ａ】
2014132338.tif 000016
【図１４Ｂ】
2014132338.tif 000017
【図１５】
2014132338.tif 000018